(57)【要約】      （修正有）【課題】第１装置で再生されるフルアプリコンテンツを改善するための方法を提供する。【解決手段】方法は、第１マイクロアプリを通じて、第１アイテムの第１選択を受信する段階、第２マイクロアプリを通じて第２アイテムの第２選択を受信する段階であり、前記第２マイクロアプリは前記第１マイクロアプリと異なり、前記第２選択は前記第１選択と異なる形式であり、前記第１アイテムに対するアイテム脈絡情報を検索する段階、前記第２アイテムに対するアイテム脈絡情報を検索する段階、検索された第１アイテムに対するアイテム脈絡情報及び検索された第２アイテムに対するアイテム脈絡情報全部に基づいてマイクロアプリ協力者に問い合わせを提起する段階、前記マイクロアプリ協力者から結果を受信する段階、及び前記結果の少なくとも一部を表示したり再生する段階を含む。【選択図】図８
2012234543.tif 000002
【特許請求の範囲】
【請求項１】
第１マイクロアプリ（ｍｉｃｒｏ−ａｐｐ）を通じて、第１アイテムの第１選択を受信する段階；
前記第１アイテムに対するアイテム脈絡情報を検索する段階；
検索された第１アイテムに対するアイテム脈絡情報に基づいてマイクロアプリ協力者に第１問い合わせを提起する段階；
前記マイクロアプリ協力者から第１結果を受信する段階；
受信された第１結果の少なくとも一部を表示したり再生する段階；
第２マイクロアプリを通じて第２アイテムの第２選択を受信する段階で、前記第２マイクロアプリは、前記第１マイクロアプリと異なり、前記第２選択は前記第１選択と異なる形式であり；
前記第２アイテムに対するアイテム脈絡情報を検索する段階；
検索された第１アイテムに対するアイテム脈絡情報及び検索された第２アイテムに対するアイテム脈絡情報全部に基づいて前記マイクロアプリ協力者に第２問い合わせを提起する段階；
前記マイクロアプリ協力者から第２結果を受信する段階；及び
前記第２結果の少なくとも一部を表示したり再生する段階
を含むことを特徴とする第１装置で再生されるコンテンツの改善方法。
【請求項２】
前記第２結果の少なくとも一部を表示したり再生する段階は、前記第２結果の少なくとも一部を表示したり再生するために他のマイクロアプリを使用する段階を含むことを特徴とする請求項１に記載の第１装置で再生されるコンテンツの改善方法。
【請求項３】
前記第２結果の少なくとも一部を表示したり再生する段階は、前記第２結果を第１マイクロアプリを実行する装置及び/または第２マイクロアプリを実行する装置に伝送する段階を含むことを特徴とする請求項１に記載の第１装置で再生されるコンテンツの改善方法。
【請求項４】
前記方法は、マイクロアプリによって行われ、前記第１及び第２マイクロアプリは、各々前記方法を行うマイクロアプリを実行する装置とは異なる互い分離された装置に各々位置することを特徴とする請求項３に記載の第１装置で再生されるコンテンツの改善方法。
【請求項５】
前記第１マイクロアプリを実行する装置に転送された第２結果からの結果は、前記第２マイクロアプリを実行する装置に転送された第２結果からの結果と異なることを特徴とする請求項４に記載の第１装置で再生されるコンテンツの改善方法。
【請求項６】
前記第１マイクロアプリ及び前記第２マイクロアプリを通じて受信した装置脈絡情報に従って前記第２結果を前記第１マイクロアプリと前記第２マイクロアプリのための結果と各々異なるようにフィルタリングする段階をさらに含むことを特徴とする請求項５に記載の第１装置で再生されるコンテンツの改善方法。
【請求項７】
前記第１マイクロアプリ及び前記第２マイクロアプリを通じて受信したユーザ脈絡情報に従って前記第２結果を前記第１マイクロアプリと前記第２マイクロアプリのための結果と各々異なるようにフィルタリングする段階をさらに含むことを特徴とする請求項５に記載の第１装置で再生されるコンテンツの改善方法。
【請求項８】
前記第１選択の形式は商品で、第２選択の形式は映画であることを特徴とする請求項１に記載の第１装置で再生されるコンテンツの改善方法。
【請求項９】
前記第１アイテムに対するアイテム脈絡情報を検索する段階は、前記第１マイクロアプリの実行を通じてアイテム脈絡情報を受信する段階を含むことを特徴とする請求項１に記載の第１装置で再生されるコンテンツの改善方法。
【請求項１０】
前記第１アイテムに対するアイテム脈絡情報を検索する段階は、前記第１選択に対する情報を使用して、前記第１選択に対応するアイテム脈絡情報のための外部データベースに対して問い合わせる段階を含むことを特徴とする請求項１に記載の第１装置で再生されるコンテンツの改善方法。
【請求項１１】
第１マイクロアプリ（ｍｉｃｒｏ−ａｐｐ）を通じて第１アイテムの第１選択を受信する段階；
前記第１アイテムに対するアイテム脈絡情報を検索する段階；
検索された第１アイテムに対するアイテム脈絡情報に基づいて第１マイクロアプリ協力者に問い合わせを提起する段階；
前記第１マイクロアプリ協力者から第１結果を受信する段階；
前記第１結果の少なくとも一部を表示したり再生する段階；
第２マイクロアプリを通じて第２アイテムの第２選択を受信する段階であり、前記第２マイクロアプリは前記第１マイクロアプリと異なり、前記第２選択は前記第１選択と異なる形式であり；
第２アイテムに対するアイテム脈絡情報を検索する段階；
検索された第２アイテムに対するアイテム脈絡情報に基づいて第２マイクロアプリ協力者に問い合わせを提起する段階；
前記第２マイクロアプリ協力者から第２結果を受信する段階；
前記第１結果と前記第２結果を組み合わせる段階；及び
前記組合わせた結果の少なくとも一部を表示したり再生する段階
を含むことを特徴とする第１装置で再生されるコンテンツの改善方法。
【請求項１２】
前記組合わせた結果の少なくとも一部を表示したり再生する段階は、前記組合わせた結果の他の部分を前記第２マイクロアプリを実行する装置に示すことよりも、前記第１マイクロアプリを実行する装置に表示する段階を含むことを特徴とする請求項１１に記載の第１装置で再生されるコンテンツの改善方法。
【請求項１３】
処理部；及び
第１マイクロアプリを通じて第１アイテムの第１選択を受信し、前記第１アイテムに対するアイテム脈絡情報を検索しながら、検索された第１アイテムに対するアイテム脈絡情報に基づいてマイクロアプリ協力者に第１問い合わせを提起しながら、前記マイクロアプリ協力者から第１結果を受信し、前記第１結果の少なくとも一部を表示したり再生し、第２マイクロアプリを通じて第２アイテムの第２選択を受信し、この時前記第２マイクロアプリは前記第１マイクロアプリと異なり、前記第２選択は前記第１選択と異なる形式であり、前記第２アイテムに対するアイテム脈絡情報を検索し、検索された第１アイテムに対するアイテム脈絡情報及び検索された第２アイテムに対するアイテム脈絡情報全部に基づいて前記マイクロアプリ協力者に第２問い合わせを提起しながら、前記マイクロアプリ協力者から第２結果を受信し、前記第２結果の少なくとも一部を表示したり再生するために実行される第１マイクロアプリを含むことを特徴とする共有装置。
【請求項１４】
ディスプレイ部をさらに含むことを特徴とする請求項１３に記載の共有装置。
【請求項１５】
第１マイクロアプリを通じて第１アイテムの第１選択を受信する手段；
前記第１アイテムに対するアイテム脈絡情報を検索する手段；
検索された第１アイテムに対するアイテム脈絡情報に基づいてマイクロアプリ協力者に第１問い合わせを提起する手段；
前記マイクロアプリ協力者から第１結果を受信する手段；
前記第１結果の少なくとも一部を表示したり再生する手段；
第２マイクロアプリを通じて第２アイテムの第２選択を受信する手段であり、前記第２マイクロアプリは前記第１マイクロアプリと異なり、前記第２選択は前記第１選択と異なる形式であり；
前記第２アイテムに対するアイテム脈絡情報を検索する手段；
検索された第１アイテムに対するアイテム脈絡情報及び検索された第２アイテムに対するアイテム脈絡情報全部に基づいて前記マイクロアプリ協力者に第２問い合わせを提起する手段；
前記マイクロアプリ協力者から第２結果を受信する手段；及び
前記第２結果の少なくとも一部を表示したり再生する手段
を含むことを特徴とする共有装置。
【請求項１６】
前記受信された第２結果に対してフィルタリングを行う手段をさらに含むことを特徴とする請求項１５に記載の共有装置。
【請求項１７】
前記共有装置は、テレビであることを特徴とする請求項１６に記載の共有装置。
【請求項１８】
方法を行う装置によって、実行可能なプログラム命令を具現する前記装置によって判読可能な非一時的プログラム保存装置において、前記方法は、
第１マイクロアプリ（ｍｉｃｒｏ−ａｐｐ）を通じて第１アイテムの第１選択を受信する段階；
前記第１アイテムに対するアイテム脈絡情報を検索する段階；
検索された第１アイテムに対するアイテム脈絡情報に基づいてマイクロアプリ協力者に第１問い合わせを提起する段階；
前記マイクロアプリ協力者から第１結果を受信する段階；
前記第１結果の少なくとも一部を表示したり再生する段階；
第２マイクロアプリを通じて第２アイテムの第２選択を受信する段階であり、前記第２マイクロアプリは前記第１マイクロアプリと異なり、前記第２選択は前記第１選択と異なる形式であり；
前記第２アイテムに対するアイテム脈絡情報を検索する段階；
検索された第１アイテムに対するアイテム脈絡情報及び検索された第２アイテムに対するアイテム脈絡情報全部に基づいて前記マイクロアプリ協力者に第２問い合わせを提起する段階；
前記マイクロアプリ協力者から第２結果を受信する段階；及び
前記第２結果の少なくとも一部を表示したり再生する段階
を含み、前記方法を行う装置によって実行可能なプログラム命令を具現する前記装置によって判読可能なことを特徴とする非一時的プログラム保存装置。
【発明の詳細な説明】
【技術分野】
【０００１】
本発明は、電子機器に係り、さらに詳しくは、メディア再生の統合された脈絡認識相互作用に関する。
【背景技術】
【０００２】
現在、メディア再生動作は、大部分非相互的であり、受動的な動作である。例えば、テレビでプログラムを視聴する場合、ユーザは単純にテレビだけ見る。ユーザが携帯用メディアプレーヤーで音楽ファイルを聞く場合、ユーザは単純に音楽だけ聞く。ユーザが同じ装置を利用しながら、他のデータソースと相互作用を可能にする方法、例えば、ユーザがテレビを視聴しながら、インターネット検索ができるようにする最新テレビに提供される方法が存在するが、このような相互作用は、再生されているメディアに特別に考案されたのではない。現在再生されているメディアと関係する素子と相互作用することを望む場合、（例えば、現在視聴しているプログラムのＤＶＤを購入する場合）、ユーザはそういう動作を手動で実行しなければならない。
【発明の概要】
【発明が解決しようとする課題】
【０００３】
従って、本発明の目的は、このような方法を改善できる解決策を提供することである。
【課題を解決するための手段】
【０００４】
本発明の第１実施形態によれば、第１装置で再生されるコンテンツの改善方法は、第１マイクロアプリ（ｍｉｃｒｏ−ａｐｐ）を通じて、第１アイテムの第１選択を受信する段階；前記第１アイテムに対するアイテム脈絡情報を検索する段階；検索された第１アイテムに対するアイテム脈絡情報に基づいてマイクロアプリ協力者に第１問い合わせを提起する段階；前記マイクロアプリ協力者から第１結果を受信する段階；前記第１結果の少なくとも一部を表示したり再生する段階；第２マイクロアプリを通じて第２アイテムの第２選択を受信する段階であり、前記第２マイクロアプリは前記第１マイクロアプリと異なり、前記第２選択は前記第１選択と異なる形式であり；前記第２アイテムに対するアイテム脈絡情報を検索する段階；検索された第１アイテムに対するアイテム脈絡情報及び検索された第２アイテムに対するアイテム脈絡情報全部に基づいて前記マイクロアプリ協力者に第２問い合わせを提起する段階；前記マイクロアプリ協力者から第２結果を受信する段階；及び前記第２結果の少なくとも一部を表示したり再生する段階を含むことを特徴とする。
【０００５】
本発明の第２実施形態によれば、第１装置で再生されるコンテンツの改善方法は、第１マイクロアプリ（ｍｉｃｒｏ−ａｐｐ）を通じて第１アイテムの第１選択を受信する段階；前記第１アイテムに対するアイテム脈絡情報を検索する段階；検索された第１アイテムに対するアイテム脈絡情報に基づいて第１マイクロアプリ協力者に問い合わせを提起する段階；前記第１マイクロアプリ協力者から第１結果を受信する段階；前記第１結果の少なくとも一部を表示したり再生する段階；第２マイクロアプリを通じて第２アイテムの第２選択を受信する段階であり、前記第２マイクロアプリは前記第１マイクロアプリと異なり、前記第２選択は前記第１選択と異なる形式であり；第２アイテムに対するアイテム脈絡情報を検索する段階；検索された第２アイテムに対するアイテム脈絡情報に基づいて第２マイクロアプリ協力者に問い合わせを提起する段階；前記第２マイクロアプリ協力者から第２結果を受信する段階；前記第１結果と前記第２結果を組み合わせる段階；及び前記組合わせた結果の少なくとも一部を表示したり再生する段階を含むことを特徴とする。
【０００６】
本発明の第３実施形態によれば、処理部；及び第１マイクロアプリを通じて第１アイテムの第１選択を受信し、前記第１アイテムに対するアイテム脈絡情報を検索しながら、検索された第１アイテムに対するアイテム脈絡情報に基づいてマイクロアプリ協力者に第１問い合わせを提起しながら、前記マイクロアプリ協力者から第１結果を受信し、前記第１結果の少なくとも一部を表示したり再生し、第２マイクロアプリを通じて第２アイテムの第２選択を受信し、この時前記第２マイクロアプリは前記第１マイクロアプリと異なり、前記第２選択は前記第１選択と異なる形式であり、前記第２アイテムに対するアイテム脈絡情報を検索し、検索された第１アイテムに対するアイテム脈絡情報及び検索された第２アイテムに対するアイテム脈絡情報全部に基づいて前記マイクロアプリ協力者に第２問い合わせを提起しながら、前記マイクロアプリ協力者から第２結果を受信し、前記第２結果の少なくとも一部を表示したり再生する第１マイクロアプリを含む装置が提供される。
【０００７】
本発明の第４実施形態によれば、第１マイクロアプリを通じて第１アイテムの第１選択を受信する手段；前記第１アイテムに対するアイテム脈絡情報を検索する手段；検索された第１アイテムに対するアイテム脈絡情報に基づいてマイクロアプリ協力者に第１問い合わせを提起する手段；前記マイクロアプリ協力者から第１結果を受信する手段；前記第１結果の少なくとも一部を表示したり再生する手段；第２マイクロアプリを通じて第２アイテムの第２選択を受信する手段であり、前記第２マイクロアプリは前記第１マイクロアプリと異なり、前記第２選択は前記第１選択と異なる形式であり；前記第２アイテムに対するアイテム脈絡情報を検索する手段；検索された第１アイテムに対するアイテム脈絡情報及び検索された第２アイテムに対するアイテム脈絡情報全部に基づいて前記マイクロアプリ協力者に第２問い合わせを提起する手段；前記マイクロアプリ協力者から第２結果を受信する手段；及び前記第２結果の少なくとも一部を表示したり再生する手段を含む共有装置が提供される。
【０００８】
本発明の第５実施形態によれば、方法を行う装置によって、実行可能なプログラム命令を具現する前記装置によって、判読可能な非一時的プログラム保存装置が提供され、前記方法は、第１マイクロアプリ（ｍｉｃｒｏ−ａｐｐ）を通じて第１アイテムの第１選択を受信する段階；前記第１アイテムに対するアイテム脈絡情報を検索する段階；検索された第１アイテムに対するアイテム脈絡情報に基づいてマイクロアプリ協力者に第１問い合わせを提起する段階；前記マイクロアプリ協力者から第１結果を受信する段階；前記第１結果の少なくとも一部を表示したり再生する段階；第２マイクロアプリを通じて第２アイテムの第２選択を受信する段階であり、前記第２マイクロアプリは前記第１マイクロアプリと異なり、前記第２選択は前記第１選択と異なる形式であり；前記第２アイテムに対するアイテム脈絡情報を検索する段階；検索された第１アイテムに対するアイテム脈絡情報及び検索された第２アイテムに対するアイテム脈絡情報全部に基づいて前記マイクロアプリ協力者に第２問い合わせを提起する段階；前記マイクロアプリ協力者から第２結果を受信する段階；及び前記第２結果の少なくとも一部を表示したり再生する段階を含む。
【図面の簡単な説明】
【０００９】
【図１】本発明の実施形態によるシステムの一例を示す図である。
【図２】本発明の実施形態によりＴＶ＋実行のための空間を生成するためにメディアの大きさを減らして、テレビ画面のコーナーに位置するようにする場合の例を示す図である。
【図３】ユーザが共同の検索を遂行するために複数のインタラクション装置からアイテムを入れる場合の例を示すブロック図である。
【図４】本発明の実施形態による共同で入れたアイテムに基づいてマイクロアプリを通じて問い合わせる場合の一例を示すブロック図である。
【図５】テレビ５００が操作板５０２に問い合わせ結果を示す場合の一実施形態を示す図である。
【図６】問い合わせ結果がテレビから各スマートフォンに転送される場合の一実施形態を示す図である。
【図７】共有装置及び一つ以上のインタラクション装置に位置し、本発明に記載された方法及びシステムの実施形態を具現できるハードウェア構成要素の例を示す図である。
【図８】本発明の実施形態により第１装置で再生するフルアプリコンテンツを改善するための方法を示すフローチャートである。
【図９】本発明の実施形態により第１装置で再生されるコンテンツを改善するための方法を示すフローチャートである。
【発明を実施するための形態】
【００１０】
以下、添付図面を参照して、本発明の好ましい実施形態に対して詳細に説明する。本発明は、好ましい実施形態とともに説明されるが、実施形態にだけ限定されず、添付請求項によって定義されることによって本発明の原則や精神から外れない限り、他の実施形態、変形された実施形態及び均等物にも適用されることができる。下記の具体的な説明は、本発明を徹底して完全に理解するために提供されることである。本発明は、このような詳細な説明なくても実行できるだろう。本発明の説明において、関連する公知機能または構成に対する具体的な説明が本発明の要旨を不必要に濁す恐れがあると判断される場合にはその詳細な説明を省略するだろう。
【００１１】
本発明によると、構成要素、プロセス段階及び/またはデータ構造は、多様な種類の運営体制、プログラム言語、コンピュータプラットホーム、コンピュータプログラム及び/または一般機器によって行われることができる。また、該当技術分野の通常の知識を有する者ならば、ハードウェアに内蔵された装置、ＦＰＧＡｓ（ｆｉｅｌｄ  ｐｒｏｇｒａｍｍａｂｌｅ  ｇａｔｅ  ａｒｒａｙｓ）、注文型半導体（ａｐｐｌｉｃａｔｉｏｎ  ｓｐｅｃｉｆｉｃ  ｉｎｔｅｇｒａｔｅｄ  ｃｉｒｃｕｉｔｓ：ＡＳＩＣｓ）のような特定目的のための装置が本発明の範囲を外れない範囲内で使用されることができることを理解するだろう。本発明は、またメモリ装置のようなコンピュータ判読可能な媒体に保存されているコンピュータ命令語として具現されることができるだろう。
【００１２】
メディアプレーヤーとインターネット検索機能を全部有する装置が現在実行されている機能に従って二つの機能の間で自動で転換されることを可能にする技術が存在する。例えば、ボタンのあるオプション パネルがテレビ再生モード及びインターネット検索モードで全部使用されることができるし、これを通じて統合された表示動作を提供することができる。しかし、このような技術は、装置によって実行されている現在機能を単純に認識するシステムに制限され、このようなシステムは、現在再生されているメディア自体のように他の要素は考慮しない。
【００１３】
また、メディア再生は、現在単一装置で行われる動作である。多数のユーザが一つの装置を通じてメディアを視聴したり聴取する間（例えば、家族が集まって、テレビを視聴する場合）、このような動作は、その一つの装置で制限される。一般的な同じ地域内で使用可能な多重接続（インターネット接続が可能な）装置がますます普遍化されている。例えば、携帯電話やその他の移動式通信装置を持ち歩く人々が増さって、その中で多数はインターネット接続が可能である。また、どんな携帯電話は、既存の電話機能だけでなく、ミニコンピュータと呼ばれるほど”スマート”である。また、タブレットコンピュータもますます使用が増しており、デジタルフォトフレームも普遍化され、インターネット接続（或いは、少なくともホームネットワーク）も可能になっている。
【００１４】
本発明の実施形態では、“マイクロアプリ（ｍｉｃｒｏ−ａｐｐｌｉｃａｔｉｏｎ：ｍｉｃｒｏ−ａｐｐ）”という概念が導入され、これは一つ以上のユーザ装置に位置する。このようなマイクロアプリは、一つ以上のマイクロアプリ協力者に問い合わせて、結果情報を得ようとする時、脈絡情報を利用するために設計される。脈絡情報は、メディア自体、ユーザ、装置、あるいは一般環境情報を含むことができる。まず、このような結果情報がマイクロアプリ協力者から受信されれば、これはユーザ装置に表示されることができる。このような方式でマイクロアプリは、現在再生されているメディアに関する結果を自動で検索し、メディアが再生されている間これを視聴者に表示することができる。
【００１５】
本発明の他の実施形態では、複数のマイクロアプリの脈絡情報が検索され、この脈絡情報を一部組み合わせて、一つ以上のマイクロアプリ協力者に問い合わせて結果情報を得ようとする時使用される。一部の実施形態では、前記複数のマイクロアプリが同じ種類ではないこともできる。例えば、アマゾン（ＡｍａｚｏｎＴＭ）マイクロアプリの脈絡情報は、イーベイ（ｅＢａｙＴＭ）マイクロアプリの脈絡情報と結びつくことができる。これは、複数のマイクロアプリが問い合わせるために使用される場合にも共同で問い合わせが行われるようにする。
【００１６】
本発明のまた他の実施形態では、ユーザが自発的に互いに異なるマイクロアプリの脈絡情報を提供し脈絡情報が組み合って、一つ以上のマイクロアプリ協力者に問い合わせて、結果情報を得ようとする時使用される。このような方式でユーザはアイテムをシステム上に“入れる”（即ち、該当マイクロアプリを使用して、アイテムを選択して、所定位置にドラッグする）。このような動作は、一つの装置上の一人のユーザによって行われたり、複数の装置上の複数のユーザによって行われることができる。例えば、ユーザは、アマゾンマイクロアプリから本を入れて、イーベイアプリからおもちゃを入れることができる。その後、システムは、本に対する脈絡情報及びおもちゃに対する脈絡情報を検索し、このような脈絡情報を組み合わせて、問い合わせることができる。検索された最終結果は、前の二つの脈絡情報に基づく結果を示す。他の実施形態では、本は一つの装置上の一人のユーザによって入れることができるし、おもちゃは他の装置上の他のユーザによって入れることができる。
【００１７】
本発明のまた他の実施形態では、各々異なる装置やユーザに伝わった最終結果は、その装置やユーザに関する脈絡情報によって変る。例えば、第１装置上の第１ユーザがアマゾンマイクロアプリから本を入れて、第２装置上の第２ユーザがイーベイアプリからおもちゃを入れる場合、各ユーザは前記本とおもちゃの脈絡を組み合わせたことに関する結果が受信されることができる。しかし各ユーザに受信された結果は、互いに異なることができる。ユーザは、一般的に色々なアイテムを入れる時、共通の検索用途を念頭に置くことなのに、なぜなら、ユーザとしてはシステムが結果を得るために新しい脈絡を構成する時、すべてのユーザの脈絡情報を考慮するだろうというのを知っているためである。ユーザに提供される結果は、ユーザの選好度/脈絡によってフィルタリングされ、したがってこのような形でそれぞれの結果は互いに異なることができる。また、例えば、第１ユーザが成人であり第２ユーザが子供ならば、第１ユーザが見られる結果は、成人に適合するアイテム（ＤＶＤ、本、旅行日程など）を含み、第２ユーザのための結果は、子供に適合するアイテム（おもちゃ、ゲーム、漫画）などを含む。このようなカスタマイズした結果は、ディスプレイ大きさや処理能力のような装置情報によって変わることができる。
【００１８】
一部の実施形態で前記結果は、最初にアイテムを“入れる”所とは異なる装置で表示される。例えば、互いに異なるユーザは共にテレビを視聴しながら、携帯電話を使用して、アイテムを“入れる”ことができる。その後、前記入れたアイテムに基づいて行われた共同の検索結果は、共に視聴しているテレビ上に表示される。このような方式で一つのテレビを共に視聴している複数の視聴者の選好度がテレビに表示される結果を変更するために使用される場合、一種の集団的思考を容易にすることができる。
【００１９】
以前の段落の説明のように、多い場合に前記の色々な実施形態を同時に活用することが好ましいが、一つ以上の実施形態が単独で使用されることもできる。例えば、複数のユーザが同じマイクロアプリを使用して、アイテムを入れることができる。本明細書では、これから多様な実施形態に対して詳細に説明するつもりで、いかなる意味でも特定実施形態によって本発明の請求範囲が制限されると解釈されない。
【００２０】
一つ以上のコンテンツ提供者に問い合わせるために使用される脈絡情報は、複数の多様なソースから検索されることができる。ソースの一例は、実行されているメディア自体である。このような種類の脈絡情報は、“メディアコンテンツ脈絡情報”と呼ばれることができてメディア自体に対するすべての情報を含むことができる。このような情報の一般的なソースの中で一つは、前記メディアを伴うメタデータになることができる。テレビプログラムにおいて、このような情報は、デジタル放送ストリームに内蔵されていることができる。ＯＴＴ（ｏｖｅｒ  ｔｈｅ  ｔｏｐ）、ＶＯＤ（ｖｉｄｅｏ  ｏｎ  ｄｅｍａｎｄ）、ビデオや写真において、このような情報は、ダウンロードされたメディアファイルにインコーディングされたり、別に転送されることができる。ＤＶＤやブルーレイ（Ｂｌｕｅ−ＲａｙＴＭ）ディスクにおいて、このような情報は、ディスク自体に（専用メタデータファイル内に）インコーディングされたり外部ＧＤ３識別データベースを利用するなど外部で使用されることができる。ハードディスクドライブに保存された一般ビデオ、写真や音楽ファイルは、ＭＰ３ファイル内のＩＤ３メタデータやデジタル カメラのｘｉｆファイルのようにファイル自体内にメタデータ情報を含むことができる。デジタルリビングネットワーク連合（Ｄｉｇｉｔａｌ  Ｌｉｖｉｎｇ  Ｎｅｔｗｏｒｋ  Ａｌｌｉａｎｃｅ：ＤＬＮＡ）方式ストリームも内蔵されたメタデータを含むことができる。メディアコンテンツ脈絡情報の例は、題目、ジャンル、俳優、監督、上映時間、場面情報、ミュージックトラック、作曲者、著者などを含むことができる。ソーシャルネットワーキングウェブサイトやビデオストリーミングウェブサイトからの追加ファイルストリームもまた本発明の実施形態で使用されることができる。また、ニュース、地図、ゲームなどのようにメディア形式でないアプリケーションのファイルも利用されることができる。
【００２１】
本発明で使用される用語“コンテンツ提供者”は、広い意味で、ユーザーの望む情報やサービスを提供するすべての個体（ｅｎｔｉｔｙ）を含むと解釈される。これは、文書情報（ｔｅｘｔｕａｌ  ｉｎｆｏｒｍａｔｉｏｎ）、グラフィック情報、ショッピング能力、マッピングツールなどを含むことができる。該当技術分野で、用語“サービス提供者”及び“コンテンツ提供者”は、区分されて使用されたりするが、コンテンツを提供する者とサービスを提供する者の境界が曖昧で、すべての供給者を簡単にコンテンツ提供者と命名したりするので、本発明ではコンテンツ提供者と統一する。
【００２２】
また、本発明で使用される用語“メディア”は、広い意味で単純に既存のビデオ、写真、文書だけでなく、その他のユーザが見ること、聞くことができる情報として共有装置やインタラクション装置に転送された情報を含むと解釈される。したがって“メディア”は、例えば、ニュースリーダー  アプリケーション内の文書、マッピングアプリケーション内の地図、または、ゲームアプリケーションのグラフィックを含むので“メディアコンテンツ脈絡情報”は、このようなアイテムに関する脈絡情報も含む。本発明の一部で使用される用語“フルアプリ（ｆｕｌｌ−ａｐｐ）コンテンツ”は、メディア形式でない関連コンテンツも脈絡情報及びフルアプリコンテンツに関する結果を検索するために基準として使用されることができるということを明確にするためメディアコンテンツで使用される。また、このような“フルアプリコンテンツ”は、ライブテレビ、メディアプレーヤー、マイクロアプリ結果、ＤＶＤ、ＨＤＭＩポートなどを含む多様なソースから出てくる。
【００２３】
本発明で使用される用語“マイクロアプリ（ｍｉｃｒｏ−ａｐｐ）”は、広い意味でコンテンツ提供者に問い合わせる装置に設けられることができるすべてのアプリケーションを含むと解釈される。しかし、一部実施形態では、マイクロアプリが他のアプリケーションやサービスに連結されて、フル  アプリケーションやサービス（フル  アプリと言う）内で限定されたマイクロ機能だけを提供する。例えば、アマゾン・アプリケーションは、フル  ユーザ  インターフェースをアマゾン・ドット・コム（Ａｍａｚｏｎ．ｃｏｍＴＭ）マーケットに提供できるが、アマゾンマイクロアプリは、制限的なマイクロ機能（脈絡に基づいて自動検索、制限的な購買機能など）だけ提供することができる。マイクロ機能は“カートに入れること”や“お気に入りに追加”のような一つの動作だけ実行できる機能である。
【００２４】
脈絡情報のソースは、単純にメディアやフル−アップ コンテンツ自体以外にも多様に存在する。このように多様な脈絡情報に対するソースの中で一つは、ユーザである。ユーザに対する多様な情報は、明らかにあるいは暗黙的に検索されることができる。例えば、年齢、性別、関心、職業などのユーザ情報を含むユーザプロファイルは保存されることができる。このような種類の脈絡情報は、コンテンツ提供者からどの情報が検索されるのかを決める時役立つように使用されることができる。例えば、ある家族がアフリカに関するドキュメンタリーを視聴しているならば、子供たちにはライオン、キリン、サイなどに対する絵を含む情報を伝達し（子供たちが使用している装置に直接に伝達可能）、同時に大人たちには彼らが使用している装置（あるいは共有装置）で見られている地域の歴史に対する文書情報を伝達することが好ましいこともある。メディア コンテンツ脈絡情報だけでなくユーザ脈絡情報を含むことによって、システムはこのような個人ニーズに合わせるサービスを各装置に伝達することができる。
【００２５】
ユーザプロファイルは、明らかに明示されたユーザ脈絡情報の一例であるが、このような情報は、また暗黙的ソースから推定されることができる。例えば、システムは、ユーザ装置でアプリケーション使用内訳（あるいは、ローディングするアプリケーション自体）を検査してユーザが子供ということを類推することができる。例えば、装置に普通の子供たちがするゲームが多数含まれていれば、装置のユーザが子供であることを推定することができる。
【００２６】
また他の脈絡情報のソースは、装置である。装置に対する多様な情報が明らかに、あるいは暗黙的に検索されることができる。例えば、製造者、メモリ、処理部速度、表示特性、入力装置などを含む装置プロファイルは保存されることができる。このような種類の脈絡情報は、マイクロアプリ協力者からどの情報が検索されるのかを決める時役立つように使用されることができる。例えば、ある家族がコメディープログラムを視聴している場合、システムは、主演俳優に対する関連情報、例えば、最近その俳優が出演した作品に対する情報を多様な装置に提供することが助けになると判断することができる。この時、一つの装置が他の装置に比べてはやい処理速度、メモリ容量及び表示特性を有すれば、その俳優が出演した最新映画の予告篇を性能のより良い装置に提供し、比較的性能の落ちる装置はその俳優の新作映画に対する文書情報だけ受信するようにすることができる。
【００２７】
装置プロファイルは、明らかに明示された装置脈絡情報の一例であるが、このような情報は、また暗黙的ソースから推定されることができる。例えば、システムは、装置のメモリに複数の高解像度ビデオファイルが保存されている場合、装置が高解像度の映像を再生することができると推定することができる。
【００２８】
また他の脈絡情報のソースは、装置が運営されている環境情報である。このような情報は、外部環境情報（時間、温度、位置など）及び内部環境情報（運営体制、同時に作動されるその他のアプリケーションなど）のような多様な情報を含むことができる。このような種類の脈絡情報もマイクロアプリ協力者からどの情報が検索されるのかを決める時役立つように使用されることができる。例えば、装置の位置が“家”ならば、マイクロアプリ協力者からダウンロードされた追加データは、装置位置が“会社”である場合より、もう少し娯楽的なものでありうる。
【００２９】
外部脈絡情報は、多様な外部センサーや装置から検索されることができる。例えば、時間の場合、マザーボードに位置する時計装置が接続されることができる。位置の場合、ＧＰＳ（ｇｌｏｂａｌ  ｐｏｓｉｔｉｏｎｉｎｇ  ｓｅｎｓｏｒ）やこれと類似の追跡装置が利用されることができる。温度の場合、温度センサーが利用されることができる（または、位置情報がその位置の現在温度が検索されることができる外部データベースに提供されることができる）。
【００３０】
脈絡情報のまた他のソースは、ソーシャルネットワーキングデータである。例えば、ソーシャルネットワーキングウェブサイトやデータストリームで提供されたユーザの状態情報が確認されて、ユーザの現在状態を判断できて、これは結果を提供するのに役に立つこともできる。例えば、ユーザがフェイスブックの状態を“休暇中”と示す場合に提供される結果は、ユーザが“勤務中”と示す場合とは異なることができる。
【００３１】
他の実施形態では、脈絡に従って異なる脈絡に各々異なる加重値が付加されることができる。例えば、あるユーザの装置は、その装置を他のユーザが実行する場合、異なる加重値が与えられることができる。
【００３２】
一実施形態では、マイクロアプリ間の共有データ構造スキーマが提供されて、それぞれのマイクロアプリが一貫する方式で脈絡認識ができるようにする。これによって、メディア提供者は、多様なマイクロアプリがその脈絡情報に接近するだろうということを認識しながら（独占的メタデータ形式が使用される場合、単に一つのマイクロアプリとは異なり）さらに便利にメタデータをインコーディングしたり、そうではない場合、彼らのメディアに関する脈絡情報を提供するために必要な段階を施行できるようになる。したがって、視聴したり聴取中であるコンテンツに関する付随情報を提供することによって、マイクロアプリ協力者が共有脈絡に接近して完璧にフル−  アプリ コンテンツを改善するようにするシステムと保存所が提供されることができる。
【００３３】
図１は、本発明の実施形態によるシステムの一例を示す。ここで、テレビ１００は、共有装置として役割をする。また、前記システム内には、一連のインタラクション装置１０２ａ、１０２ｂ、１０２ｃが含まれ、これはスマートフォンとして具現される。それぞれのインタラクション装置１０２ａ、１０２ｂ、１０２ｃは、互いに異なるユーザ（図示せず）によって作動されることができる。各インタラクション装置１０２ａ、１０２ｂ、１０２ｃは、一つ以上のマイクロアプリを含む。
【００３４】
一実施形態で、ユーザは、リモコンボタン（図示せず）を押したり、インタラクション装置１０２ａ、１０２ｂ、１０２ｃの中の一つを使用して、テレビの増強モード（ＴＶ＋モードともいう）を初期化することができる。他の実施形態によれば、ユーザは、特定マイクロアプリを通じて利用可能なコンテンツが通知されるようにテレビを設定することができる。以下では、ＴＶ＋モードとの相互交流は、いずれか一つのインタラクション装置１０２ａ、１０２ｂ、１０２ｃを通じて行われると仮定する。ＴＶ＋モードを初期化すれば、テレビ１００上に現在再生されているメディア画面が減って、画面コーナーに位置するようになり、これに従ってＴＶ＋実行のための空間ができたり、ＴＶ＋コンテンツを示すためのオーバーラップ画面が生成される。従って、ユーザは、共有環境でマイクロアプリと相互交流しながら、現在再生されているメディアを続いて視聴することができる。この時、一実施形態によれば、テレビ１００で再生されているメディアは変更されない。このような実施形態で、全体ＴＶ＋実行がインタラクション装置１０２ａ、１０２ｂ、１０２ｃを通じて実行されることができるし、これによって共有されているメディアはどんな方法でも中断されない。これによって特定プログラムの相互交流特性に全く関心のないユーザは、このような相互交流特徴を完全に無視することができる。例えば、スマートフォンのないおじいさん/おばあさんが、家族と共に共有テレビでプログラムを視聴していれば、彼らは付随的な追加情報が家族中の他の人に（彼らのインタラクション装置を通じて）提供されているという事実を知る必要がない。
【００３５】
図２では、本発明の実施形態に従って、ＴＶ＋実行のための空間を生成するためにメディアの大きさを減らして、テレビ画面のコーナーに位置するようにする場合を例えて図示している。ここで、ＴＶ＋モードが実行されれば、ユーザに問い合わせ結果を見せるテレビ１００の操作板２００と互いに異なるマイクロアプリ２０２ａ、２０２ｂ、２０２ｃ、２０２ｄが表示される。
【００３６】
テレビ操作板２００は、また現在視聴されているコンテンツに対する文書情報バー（ｂａｒ）を示すことができる。インタラクション装置で、ユーザは、現在のメディアコンテンツと共に相互交流のために利用されることができるマイクロアプリ目録を受信することができる。また、ユーザは、現在メディアコンテンツに対する増強された情報を受信するために特定マイクロアプリを実行させることができる。これによって、テレビ画面の一部は、ずっと現在メディアを示し、スマートフォン画面の一部は、自体の現在コンテンツを示しながら、テレビ及びスマートフォンが選択されたマイクロアプリの実行を通じて検索されたコンテンツに変更するようにすることができる。
【００３７】
テレビを通じてユーザは、現在コンテンツと共に現在ログインしたユーザ目録を示すことができる該当マイクロアプリのホームページを探索することができる。スマートフォンでは個人的に画面を利用することができるので、ユーザにさらに多い情報が提供されることができる。このような情報には、現在メディアに対する文書情報を示す情報バー（ｂａｒ）が含まれることができる。また、（提供されたマイクロアプリコンテンツで検索された）現在メディアに関する一連のアイテムも含まれることができる。このようなアイテムは、さらに容易な相互作用のために、論理的な範疇に分類されることができる（例えば、映画、音楽、おもちゃ、商品など）。このような情報は、また推薦バーを含めるのに、このようなバーのコンテンツは、提供された範疇内のアイテムを選択することによって加わる。一実施形態で、各範疇はタブ形態で示されて、ユーザが各々異なるタブを選択することによって多様な範疇の間で探索することができるようにする。
【００３８】
一部の実施形態では、（タグ形式の）検索結果が、インタラクション装置や共有装置で同期化された方式で示されることができるし、これによってユーザは共有装置に共同で共有される間に個別インタラクションからアイテムを見て選択することができる。
【００３９】
図３は、ユーザが共同の検索のために、複数のインタラクション装置からアイテムを入れる場合を例えて示すブロック図である。ここで、二つのスマートフォン３００、３０２は、全部それぞれの画面領域３０４、３０６を含み、これは画面の他の所からドラックされたアイテムを受信するために使用される。スマートフォン３００は、アマゾンマイクロアプリを実行し、スマートフォン３０２は、イーベイマイクロアプリを実行する。互いに異なるアプリを使用しているが、装置のユーザは、アイテムに対する関心を示すために、それぞれのアイテムを前記“入れる（ｔｈｒｏｗ）”領域３０４、３０６上にドラッグすることができる。このように入られた対象に関する脈絡情報は、その後に収集されて、問い合わせのための他のマイクロアプリに転送されることができる。
【００４０】
図４は、本発明の実施形態による共同で入れたアイテムに基づいてマイクロアプリを通じて問い合わせる場合の一例を示すブロック図である。ここでスマートフォン４００のユーザは、アマゾンマイクロアプリを通じて、ロードオブザリングという本を入れた。スマートフォン４０２のユーザは、イーベイマイクロアプリを通じて“トイワンド（Ｔｏｙ  Ｗａｎｄ）というおもちゃの説明書を入れた。その後、テレビ４０４は、このようなアイテムに対する脈絡情報を（スマートフォンから直接に受信したり、外部ソースからより詳細な脈絡情報を検索するためにスマートフォンからの情報を利用することによって）受信して、脈絡情報を部分的に組み合わせたのに基づいてマイクロアプリを通じて問い合わせる。
【００４１】
本実施形態では、脈絡情報を受信し問い合わせるためにテレビでマイクロアプリを実行することを例えて説明した。しかし、該当マイクロアプリは、他の装置、一つ以上のスマートフォン４００、４０２自体内にも含まれることができる。
【００４２】
問い合わせ結果が使用される方法も実施形態により変わることができる。図５は、テレビ５００が操作板５０２に問い合わせ結果を示す場合の一実施形態を示す。ここで、問い合わせ結果は、脈絡情報である“ロードオブザリング”と“トイワンド”に関する映画、特に魔法に関するファンタジー映画の題目を示す。
【００４３】
図６は、問い合わせ結果がテレビから各スマートフォンに転送されて、マイクロアプリを通じて表示される場合の一実施形態を示す。本実施形態でそれぞれの結果全部が二つのすべてのスマートフォンで選択された結果から収集された共同の脈絡情報に基づいているが、二つのスマートフォンは実質的に異なる結果を受信する。ここで、脈絡情報は、スマートフォン６００のユーザは成人で、他のスマートフォン６０２のユーザは子供であることを示すことができる。また、脈絡情報は、スマートフォン６００が現在アマゾンマイクロアプリを実行しており、他のスマートフォン６０２はイーベイマイクロアプリを実行していることを示すことができる。このように、スマートフォン６００に転送された結果は（スマートフォン６００によって選択されたファンタジー書籍及び他のスマート フォン６０２によって選択されたトイワンド全部に基づく）魔法に関する成人ファンタジー書籍目録でありうる。
【００４４】
一方、他のスマートフォン６０２は、ファンタジーに関するおもちゃ目録（これもスマートフォン６００及び他のスマートフォン６０２による選択結果に基づく）を受信することができる。このように、二つのスマートフォン６００、６０２の受信した結果は、依然として共通の特徴があるが、各々装置、ユーザまたは使用されるマイクロアプリによってカスタマイズし提供される。
【００４５】
図７は、共有装置及び一つ以上のインタラクション装置に位置し、本発明に記載された方法及びシステムの実施形態を具現できるハードウェア構成要素の例を示す。一実施形態によれば、共有装置７００は、処理部７０２、メモリ７０４、ファームウェア７０６、集積回路７０８、プログラムロジック７１０、保存装置７１２、共同ディスプレイ部７１４、ユーザインターフェースモジュール７１６及び通信モジュール７１８を有するテレビを含む。通信モジュール７１８は、例えば、ネットワークインターフェース装置または無線電波送/受信機であることができる。一実施形態によれば、それぞれのインタラクション装置７２０は、処理部７２２、メモリ７２４、ファームウェア７２６、集積回路７２８、プログラムロジック７３０、保存装置７３２、個人用ディスプレイ部７３４、ユーザインターフェースモジュール７３６及び通信モジュール７３８を含むことができる。この時、通信モジュール７３８は、例えば、ネットワークインターフェース装置または無線電波送/受信機であることができる。共有装置は、各インタラクション装置と有線及び/または無線通信リンクを通じて通信することができる。一実施形態によれば、共有装置及び/またはインタラクション装置は、ウェブ
サーバー、データベース、ネットワーク、ストリーミングソース、検索エンジンなどのような外部のマイクロアプリ協力者とインターネットを通じて通信することができる。
【００４６】
本発明に記載されたシステムは、ユーザが複数のサービス及びアプリケーションで関連情報を検索するようにすることによってユーザの参加を増加させる。本システムは、一貫的で脈絡認識の可能なマイクロアプリを開発するための所要期間を減少させる。共有装置がすべてのユーザに関する共同の共有データを示す間、システムは各自個人スクリーンを持っている複数のユーザが同時に共有装置と相互交流することができるようにする。システムは、また各サービスのために探索文字列を入力する苦労をなくして、いくつかのマイクロアプリの間で、完ぺきで自動化された探索が行われるようにし、ユーザがより使いやすく探索ができるようにする。
【００４７】
本発明の他の実施形態によれば、マイクロアプリ（一部の実施形態ではマイクロアプリ提供者を含む）とマイクロアプリ協力者を区別するミドルウェア体系が提供される。このような体系は、必ず必要ではないけれども、マイクロアプリ協力者がマイクロアプリ提供者に対して知ることが出来るようにしながら、その反対の場合も可能にする。
【００４８】
二つの個体全部、ＡＩＰｓミドルウェア体系に対して簡単にプログラムを設定することができる。このような方式ですべてのアプリケーションやソース（例えば、ブルーレイ（Ｂｌｕｅ−ＲａｙＴＭ）、ネットフリックス（ＮｅｔｆｌｉｘＴＭ）、ＤＬＮＡメディア、ワイズリンク（ＷｉｓｅＬｉｎｋ）、メディア形式でない装置（Ｗｉｄｇｅｔｓ））は、サービス融合やマッシュアップ（ｍａｓｈ−ｕｐ）結果を知らなくても、他のサービス（マイクロアプリ）と協力することができる。また、このような体系は、複数のインタラクション装置のために他の脈絡及び統合ユーザインターフェースを自動で提供することができる。多様な人工知能エンジンを使用することによって、このような体系は、自動でマイクロ サービス検索結果の質を向上させることができる。アルゴリズムは、多様な脈絡情報（ｍｕｌｔｉ−ｃｏｎｔｅｘｔ  ｉｎｆｏ）に基づいて動的照会テーブルを含むことができる。
【００４９】
本発明の一実施形態によれば、システムは、クラウドに至るまで拡大される。このような方式で多様な位置で複数の多様な装置から処理されなかった脈絡（ｒａｗ  ｃｏｎｔｅｘｔ）が検索されることができる。ユーザは、膨大な量のデジタル資産を集めてますます頻繁にインターネットサービスを利用している。ユーザは、普通一つ以上の装置を利用して、このような資産及びサービスに接続する。一般的に、ユーザは、情報とメディアに接続して収集のために使用されることができるデスクトップコンピュータ、ノートブック及び携帯電話（その他の装置も含み可能）を所有することができる。このようなトレンドは、膨大な量のサービスとコンテンツがウェブ上で利用される限り続くだろう。このような資産及びサービスは、一般的にクラウドと知られた多様な非公式情報グループだけでなく個人装置あちこちに分散されている。クラウドは、統制を基盤とする公式あるいは非公式情報グループである。本発明は、増強された脈絡システムを類似の方式で拡大すると期待する。
【００５０】
図８は、本発明の実施形態に従って、第１装置で再生されるコンテンツを改善するための方法を示すフローチャートである。段階８００では、第１マイクロアプリを通じて第１アイテムの第１選択を受信する。段階８０２では、前記第１アイテムに関するアイテム脈絡情報を検索する。
【００５１】
段階８０４では、前記第１アイテムに関するアイテム脈絡情報に基づいてマイクロアプリ協力者に問い合わせを提起する。段階８０６では、前記マイクロアプリ協力者から結果を受信する。段階８０８では、前記結果の少なくとも一部が表示されたり再生される。前記方法では、結果の一部を表示したり再生するためにまた他のマイクロアプリを使用する段階や、表示のために前記結果を第１マイクロアプリを実行している装置に再び伝送する段階を含むことができる。
【００５２】
段階８１０では、第２マイクロアプリを通じて第２アイテムの第２選択を受信する。前記第２マイクロアプリは、前記第１マイクロアプリと異なることができるし、第２選択は、第１選択と異なる形式になる。段階８１２では前記第２アイテムに関するアイテム脈絡情報を検索する。このようなアイテム脈絡情報の検索は、単純に第１及び第２マイクロアプリを通じて転送された脈絡情報を受信することによって行われたり、第１及び第２マイクロアプリの実行を通じて一部情報が前記アイテム脈絡情報を検索するために外部データベースに対して問い合わせるために使用されることができる。
【００５３】
段階８１４では、前記第１アイテムに関するアイテム脈絡情報及び前記第２アイテムに関するアイテム脈絡情報全部に基づいてマイクロアプリ協力者に問い合わせを提起する。段階８１６では、前記マイクロアプリ協力者から結果を受信する。段階８１８では、前記結果の少なくとも一部が表示されたり再生される。前記方法では、結果の一部を表示したり再生するためにまた他のマイクロアプリを使用する段階や、表示のために前記結果を第１及び/または第２マイクロアプリを実行する装置に再び伝送する段階を含むことができる。
【００５４】
図８では、アイテムが二度選択されることを示したが、アイテムが選択される回数は多様に変更されることができる。システムやユーザが、これから進行される新しいアイテムを見るためにシステムを“リセット”したり、キャッシュに保存する段階になる時までは、システムは続いてアイテム選択を受信し、累積したことに基づいて新しいアイテムを推薦するために設計されることができる。
【００５５】
図９は、本発明の他の実施形態に従って第１装置で再生されるコンテンツを改善するための方法を示すフローチャートである。ここで、図８とは異なるように、問い合わせは、複数のマイクロアプリ協力者に提起され、前記複数のマイクロアプリ協力者から受信した結果は一つのマイクロアプリ協力者に提起された問い合わせ内の送信される脈絡情報を組み合わせずに、後に組み合わせる。段階９００では、第１マイクロアプリを通じて第１アイテムの第１選択を受信する。段階９０２では、前記第１アイテムに関するアイテム脈絡情報を検索する。段階９０４では、前記第１アイテムに関するアイテム脈絡情報に基づいて第１マイクロアプリ協力者に問い合わせを提起する。段階９０６では、前記第１マイクロアプリ協力者から第１結果を受信する。段階９０８では、前記第１結果の少なくとも一部が表示されたり再生される。
【００５６】
段階９１０では、第２マイクロアプリを通じて第２アイテムの第２選択を受信し、前記第２マイクロアプリは、前記第１マイクロアプリと異なり、前記第２選択は前記第１選択と異なる形式である。段階９１２では、前記第２アイテムに関するアイテム脈絡情報を検索する。段階９１４では、前記第２アイテムに関するアイテム脈絡情報に基づいて第２マイクロアプリ協力者に問い合わせを提起する。段階９１６では、前記第２マイクロアプリ協力者から第２結果を受信する。
【００５７】
段階９１８では、前記第１及び第２結果が組合わせる。段階９２０では、前記組合わせた結果の少なくとも一部が表示されたり再生される。
【００５８】
以上で説明した構成の例は、当該技術分野の通常の知識を有する者が認めた通り、プロセッサーによって行われるために必要なプログラム命令語、ソフトウェアモジュール、マイクロコード、コンピュータ判読可能な媒体で使用されるコンピュータプログラム製品、論理回路、アプリケーション特定集積回路、ファームウェア、電子機器などのように多様な方式で行われるし、無線装置、無線送/受信機及びその他の無線ネットワークの一部を利用することができる。また、本発明に記載されたマルチメディアコンテンツを複数の電子ディスプレイ画面に表示する方法及びシステムは、ハードウェア構成だけ含む実施形態、ソフトウェア構成だけ含む実施形態、またはソフトウェア及びハードウェア構成を全部含む実施形態で具現されることができる。
【００５９】
“コンピュータ判読可能な媒体”という用語は、一般的にメインメモリ、補助メモリ、移動式保存媒体、ハードディスク、フラッシュメモリ、ディスクドライブメモリ、ＣＤ−ＲＯＭ及びその他の形態の持続性メモリを称する。本発明の多様な方法を実施するための実行可能なコンピュータコードを含む保存装置を説明するため使用されることのように、プログラム保存装置は、搬送波あるいは搬送信号のような一時的対象を含むためのことと見なされてはならない。プログラム保存装置及びコンピュータ判読可能な媒体は、一般的にメインメモリ、補助メモリ、移動式保存ディスク、ハードディスクドライブ及びその他の類型の保存装置や構成要素のような媒体を称するための用語である。
【００６０】
以上で説明した本発明の多様な側面、特徴、実施形態または実施は、単独でまたは組み合わせて使用されることができる。本発明の多様な特徴及び長所は、本発明の説明に明白に現れており、これは特許請求範囲に含まれる。また、本発明は、前記の実施形態に限定されず、本発明の属する分野で通常の知識を有する人ならば、このような記載から多様な修正及び変形が可能である。したがって、本発明の範囲は、説明された実施形態に限定されて定まれず、後述する特許請求範囲だけでなくこの特許請求範囲と均等なものによって
定められるべきである。
【図１】
2012234543.tif 000003
【図２】
2012234543.tif 000004
【図３】
2012234543.tif 000005
【図４】
2012234543.tif 000006
【図５】
2012234543.tif 000007
【図６】
2012234543.tif 000008
【図７】
2012234543.tif 000009
【図８】
2012234543.tif 000010
【図９】
2012234543.tif 000011